(57)【要約】【課題】高低差が大きく、且つ小さい設置スペースでも容易に設置でき、分解・組立が容易なスロープ装置を提案する。【解決手段】第１、第２スロープ体１，２と、第１、第２及び第３コーナ形成体３，４，５によって一連の通路を形成するもので、第１スロープ体１はその一端を低位床面に載置し且つ上昇傾斜状態に配置し、第１スロープ体１の他端には第１コーナ形成体３の一端を連結し、第１コーナ形成体３の他端には第２コーナ形成体４の一端を、該第１コーナ形成体３と同方向へ湾曲するようにして連結し、第２コーナ形成体４の他端には、第２スロープ体２の一端を、上昇傾斜状態で配置し、第２スロープ体２の他端には第３コーナ形成体５を、第２コーナ形成体４とは逆方向へ湾曲するようにして連結し、第３コーナ形成体５の他端を上位床面に載置する。これにより、高低差が大きく且つ小さい設置スペースでも容易に設置可能なスロープ装置が得られる。【選択図】図１
2018168594.tif 000002
【特許請求の範囲】
【請求項１】
所定幅の直板状形体をもつ第１及び第２スロープ体と、略直角方向に湾曲する平板状形体をもつ第１、第２及び第３コーナ形成体を組み合わせて一連の通路を形成するスロープ装置であって、
上記第１スロープ体はその一端を低位床面に載置するとともに該一端から他端に向け上昇傾斜状態に配置され、
上記第１スロープ体の他端には略水平に配置された上記第１コーナ形成体の一端が連結され、
上記第１コーナ形成体の他端には略水平に配置された上記第２コーナ形成体の一端が、該第１コーナ形成体と同方向へ湾曲するようにして連結され、
上記第２コーナ形成体の他端には、上記第２スロープ体の一端が、該一端から他端に向けて上昇傾斜状態で配置され、
上記第２スロープ体の他端には略水平に配置された上記第３コーナ形成体が、上記第２コーナ形成体とは逆方向へ湾曲するようにして連結されるとともに、該第３コーナ形成体の他端が上位床面に載置されることで、低位床面と高位床面の間に平面視略Ｕ字形に屈曲する一連の通路を形成したことを特徴とするスロープ装置。
【発明の詳細な説明】
【技術分野】
【０００１】
本願発明は、設置場所の周辺状況等によって設置形態を変更可能とした仮設式のスロープ装置に関するものである。
【背景技術】
【０００２】
例えば、建物の玄関框等の高位床面と玄関先の土間等の低位床面との間の段差部に架け渡される仮設式のスロープ装置としては、例えば、特許文献１に示されるように、直状の板材で構成されたスロープを備えるものが一般的であった。
【０００３】
しかし、係る直板状のスロープを備えたスロープ装置では、該スロープへの乗り降りスペースとしてスロープ装置の両端前方に比較的広いスペースを確保することが必要であり、このようなスペースを確保できない場所では、スロープ装置の設置そのものが困難となる。
【０００４】
このような事情から、小スペースでも設置できるスロープ装置として、例えば、特許文献２には、サッシ下枠材を取付けた躯体の室外側に付設するもので、室内側床面と略面一の踊り場を有する高台部と、踊り場に連続するスロープを有する傾斜台部とでスロープ装置を構成したものが示されている。
【０００５】
また、特許文献３には、建屋の窓の外側に該窓と略動高さの踊場部を設けるとともに、該踊場部の側部に、建屋面と略平行方向に向けて傾斜延出するスロープ部を連結してスロープ装置を構成したものが示されている。
【先行技術文献】
【特許文献】
【０００６】
【特許文献１】特開２０１２−１４３２６０号公報
【特許文献２】特開平１０−２９２５８５号公報
【特許文献３】特開２００７−１３８４８０号公報
【発明の概要】
【発明が解決しようとする課題】
【０００７】
ところが、特許文献２に示されたスロープ装置においては、高台部と傾斜台部という比較的大きな二つのパーツで構成されていることから、その設置、分解作業が煩雑となり、設置、分解作業の簡易迅速化が要求される仮設式スロープ装置としては問題である。また、傾斜台部が直線的な単体構造とされていることから、例えば、高低差が大きい場所に設置するにはその長さを長くして傾斜角度を所定角度以下に抑えることが必要となるが、係る長さの長大化は「小スペースでの設置性」という所期の目的に反することとなり、結果的に高低差が大きい場所での設置が困難となる。
【０００８】
また、特許文献３に示されたスロープ装置においては、スロープ部分が踊り場部分から一直線状に延びる構造であることから、特許文献２と同様に、例えば、高低差が大きい場所に設置するにはその長さを長くして傾斜角度を所定角度以下に抑えることが必要となるが、係る長さの長大化は「小スペースでの設置性」という所期の目的に反することとなり、結果的に高低差が大きい場所での設置が困難となる。
【０００９】
そこで本願発明は、高低差が大きく、且つ小さい設置スペースでも容易に設置でき、しかも分解・組立が容易なスロープ装置を提案することを目的としてなされたものである。
【課題を解決するための手段】
【００１０】
本願発明では、所定幅の直板状形体をもつ第１及び第２スロープ体と、略直角方向に湾曲する平板状形体をもつ第１、第２及び第３コーナ形成体を組み合わせて一連の通路を形成するスロープ装置において、上記第１スロープ体はその一端を低位床面に載置するとともに該一端から他端に向け上昇傾斜状態に配置し、上記第１スロープ体の他端には略水平に配置された上記第１コーナ形成体の一端を連結し、上記第１コーナ形成体の他端には略水平に配置された上記第２コーナ形成体の一端を、該第１コーナ形成体と同方向へ湾曲するようにして連結し、上記第２コーナ形成体の他端には、上記第２スロープ体の一端を、該一端から他端に向けて上昇傾斜状態で配置し、上記第２スロープ体の他端には略水平に配置された上記第３コーナ形成体を、上記第２コーナ形成体とは逆方向へ湾曲するようにして連結するとともに、該第３コーナ形成体の他端を上位床面に載置することで、低位床面と高位床面の間に平面視略Ｕ字形に屈曲する一連の通路を形成したことを特徴としている。
【発明の効果】
【００１１】
本願発明に係るスロープ装置は、傾斜配置される二つのスロープ体、即ち、第１スロープ体と第２スロープ体を、二つのコーナ形成体、即ち、第１コーナ形成体と第２コーナ形成体によって折り返して低位床面側と高位床面側を連続させる一連の通路を形成する構成であって、折り返される上記二つのスロープ体によって、スロープ長さ方向の占有スペースを小さく抑えつつ、小さい傾斜角で所要の高低差を得るに必要な通路長さを確保することができ、この結果、高低差が大きく且つ小さい設置スペースでも容易に設置可能なスロープ装置を提供することができる。
【００１２】
また、一連の通路を、二つのスロープ体と三つのコーナ形成体を組み合わせて形成するものであって、これら各部材が比較的軽量であることから、その取扱いが容易であり、分解・組立性に優れたスロープ装置を提供できる。
【図面の簡単な説明】
【００１３】
【図１】本願発明の実施の形態に係るスロープ装置の斜視図である。
【図２】図１に示したスロープ装置の平面図である。
【図３】図２のＡ−Ａ矢視図である。
【発明を実施するための形態】
【００１４】
図１には、本願発明の実施形態に係るスロープ装置Ｚを示している。このスロープ装置Ｚは、例えば、建物１３の玄関框等の高位床面１１と玄関先の土間等の低位床面１２との間に、該高位床面１１から前方側へ跳ね出して設置されるのではなく、該建物１３の壁面に沿って、しかも折り返し状態で設置されるものであって、小スペースで設置でき、且つ高低差が大きくても比較的緩い傾斜の路面を形成し得るようにしたものであり、具体的な構成は以下のとおりである。
【００１５】
上記スロープ装置Ｚは、図１〜図３に示すように、所定幅の直板状形体をもつ二つのスロープ体、即ち、第１スロープ体１と第２スロープ体２と、略直角方向に湾曲する平板状形体をもつ三つのコーナ形成体、即ち、第１コーナ形成体３と第２コーナ形成体４及び第３コーナ形成体５を適宜組み合わせて一連の通路を形成したものである。なお、上記第１スロープ体１及び第２スロープ体２は、これ単体で折り畳み式の携行用スロープとして用いられるものをであり、ここではこれを流用している。
【００１６】
先ず、上記第１スロープ体１は、上記建物１３の壁面前方位置において、該壁面に略平行に配置されている。そして、この第１スロープ体１は、その一端１ａを低位床面１２に載置するとともに、その他端１ｂ側を接地脚８によって持ち上げて支持することで、一端１ａから他端１ｂに向けて上昇傾斜した状態で設置されている。なお、該第１スロープ体１の一端１ａには、該一端１ａと低位床面１２を滑らかに連続させる端部材６が設けられている。この端部材６は、複数の鍵盤状部材６ａを第１スロープ体１の幅方向に連設したものであって、これら各鍵盤状部材６ａがそれぞれ単独で低位床面１２に接地することで、例えば、路面が第１スロープ体１の幅方向に傾斜していたとしても、略水平に設置されている上記第１スロープ体１の一端１ａと低位床面１２を滑らかに接続することができる。
【００１７】
上記第１スロープ体１の他端１ｂには、接地脚８により支持されて略水平に設置された上記第１コーナ形成体３の一端３ａが連結されている。なお、この第１コーナ形成体３の上記第１スロープ体１の他端１ｂに対する湾曲方向は上記建物１３に指向する方向とされている。
【００１８】
上記第１コーナ形成体３の他端３ｂには、略水平に設置された上記第２コーナ形成体４の一端４ａが連結されている。この第２コーナ形成体４の上記第１コーナ形成体３の他端３ｂに対する湾曲方向は、折り返して上記建物１３に沿う方向とされる。
【００１９】
上記第２コーナ形成体４の他端４ａには、接地脚８によって支持された上記第２スロープ体２の一端２ａが、該一端２ａから他端２ｂに向けて上昇傾斜状態で配置されている。この設置状態においては、上記第１スロープ体１と上記第２スロープ体２は並行状態で二段階の傾斜路を形成している（図３参照）。
【００２０】
上記第２スロープ体２の他端２ｂには、略水平に配置された上記第３コーナ形成体５の一端５ａが、上記第２コーナ形成体４とは逆方向（即ち、上記建物１３に向かう方向）へ湾曲するようにして連結されている。そして、この第３コーナ形成体５の他端５ｂは、これに設けた端部材７を介して、上記建物１３の高位床面１１に載置されている。これで、上記低位床面１２と高位床面１１の間に平面視略Ｕ字形に屈曲する一連の通路が形成される。
【００２１】
以上のように構成された上記スロープ装置Ｚにおいては、以下のような作用効果が得られる。
【００２２】
上記スロープ装置Ｚにおいては、傾斜配置される上記第１スロープ体１と上記第２スロープ体２を、これらの間に連結される上記第１コーナ形成体３と上記第２コーナ形成体４によって略Ｕ字状に折り返して低位床面１２側と高位床面１１側を連続させる一連の通路を形成するように構成されている。したがって、折り返される上記第１スロープ体１と第２スロープ体２によって、スロープ長さ方向の占有スペースを小さく抑えつつ、小さい傾斜角で所要の高低差を得るに必要な通路長さを確保することができ、この結果、高低差が大きく且つ小さい設置スペースでも容易に設置可能なスロープ装置を提供することができる。
【００２３】
また、一連の通路を、二つのスロープ体１，２と三つのコーナ形成体３，４，５を組み合わせて形成するものであって、これら各部材が比較的軽量であることから、その取扱いが容易であり、仮設式スロープ装置に必須の特性、即ち、分解・組立性に優れたスロープ装置を提供できる。
【産業上の利用可能性】
【００２４】
本願発明は、例えば、一般家屋等の設置スペースが比較的少ない場所に設置されるスロープ装置として利用可能性が高いものである。
【符号の説明】
【００２５】
１    ・・第１スロープ体
２    ・・第２スロープ体
３    ・・第１コーナ形成体
４    ・・第２コーナ形成体
５    ・・第３コーナ形成体
６    ・・端部材
７    ・・端部材
８    ・・接地脚
１１  ・・高位床面
１２  ・・低位床面
１３  ・・建物
Ｚ  ・・スロープ装置
【図１】
2018168594.tif 000003
【図２】
2018168594.tif 000004
【図３】
2018168594.tif 000005